(57)【要約】【課題】    可曲性片状物を均一に収納し、巻層に発生する膨らみや弛み、滯り、絡み等の現象を効果的に防ぎ、同時に、軽く実用的で操作が容易であり、該可曲性片状物の巻き出しまたは巻取り・収納に便利な巻軸式収納装置の提供。【解決手段】    側面開口部及び収納空間を備えた略筒状殻体と、該略筒状殻体の該収納空間内に設置された中心回転軸と、該中心回転軸の上に挿入して固定する始端と、該可曲性片状物の始端を接続して固定する末端とを含む回転軸バネ組と、該略筒状殻体と該回転軸バネ組の間に設置された環状バネ組とを含み、該回転軸バネ組は、該中心回転軸に合わせ回動し、且つ、該略筒状殻体の該側面開口部を介して該可曲性片状物の巻出しまたは可曲性片状物の該収納空間内への巻取りと収納を行い、同時に、該回転軸バネ組が該可曲性片状物を外側へ向って付勢すると共に、該環状バネ組が該可曲性片状物を内側へ向って付勢し、該可曲性片状物に緊密な巻層を形成させ、使用者の必要に応じ、繰り返し巻出しまたは巻取り収納が可能である。【選択図】    図３
2005179055.tif 000002
【特許請求の範囲】
【請求項１】
巻軸式収納装置であって、可曲性片状物をその内部に収納し、その構造が、
側面開口部及び収納空間を備えた略筒状殻体と、該略筒状殻体の該収納空間内部に設置された中心回転軸と、該中心回転軸の上に挿入し固定する始端及び該可曲性片状物の始端を接続し固定する末端を備えた回転軸バネ組と、該略筒状殻体と該回転軸バネ組の間に設置された環状バネ組と、を含み、そのうち、前記回転軸バネ組は、該中心回転軸の回動に合わせ、該略筒状殻体の該側面開口部を介し、該可曲性片状物の巻出し・取り出しまたは該可曲性片状物の該収納空間内への巻取り収納を行ない、同時に、外方向へ該可曲性片状物を付勢し、前記環状バネ組は、該可曲性片状物を内方向へ付勢し、該可曲性片状物に巻層を形成させると共に、使用者の必要に応じ、該可曲性片状物を安定して巻出し・取り出しまたは巻取り収納を行なう、巻軸式収納装置。
【請求項２】
前記のうち、該略筒状殻体がさらに２つの略筒状殻体蓋を含み、，分別封蓋於該略筒状殻体の上下両端を該略筒状殻体蓋でそれぞれ覆い、該収納空間を形成する、請求項１に記載の巻軸式収納装置。
【請求項３】
前記のうち、該略筒状殻体蓋にそれぞれ中心円孔を形成し、該中心回転軸の両端にそれぞれ上位置決め突起及び下位置決め突起を設け、該略筒状殻体蓋の該中心円孔にそれぞれ穿通し位置決めされる、請求項２に記載の巻軸式収納装置。
【請求項４】
前記のうち、該上位置決め突起にさらに歯車を設け、該中心回転軸の回動を制御する、請求項３に記載の巻軸式収納装置。
【請求項５】
さらに、少なくとも１つの弧状弾性ガイドを含み、その一端が前記側面開口部に接続して設置され、別の一端が該巻層の外層を支持し、該可曲性片状物の末端を導引し、該可曲性片状物の末端を該側面開口部から伸出させる、請求項１に記載の巻軸式収納装置。
【請求項６】
如申請專利範圍第1項所述の巻軸式収納装置，前記のうち、該回転軸バネ組が封閉型の環状バネ組であり、少なくとも１つの径方向の伸縮弾性を備えた薄片を巻いて成る、請求項１に記載の巻軸式収納装置。
【請求項７】
前記のうち、該環状バネ組が、非封閉型の環状バネ組であって、径方向の伸縮弾性を備えた薄片を巻いて成る、請求項１に記載の巻軸式収納装置。
【請求項８】
前記のうち、該環状バネ組が少なくとも１つの環状バネから成る、請求項１に記載の巻軸式収納装置。
【請求項９】
前記のうち、該少なくとも１つの環状バネが、該略筒状殻体内に均衡して設置され、該巻層の円周を維持させる、請求項８に記載の巻軸式収納装置。
【請求項１０】
前記のうち、該環状バネ組と該巻層の接触面積が一定値より小さく、該環状バネ組と該巻層外層の摩擦阻力を減少した、請求項１に記載の巻軸式収納装置。
【請求項１１】
巻軸式収納装置であって、可曲性片状物をその内部に収納し、その構造が、側面開口部を備えた略筒状殻体と、該略筒状殻体の該収納空間内部に設置された中心回転軸と、回転軸バネ組及び環状バネ組を含む弾性バネ挟み片組と、を含み、そのうち、該回転軸バネ組がさらに該中心回転軸上に挿入し固定される始端と、該可曲性片状物の始端を接続し固定する末端とを含み、該環状バネ組が該略筒状殻体と該回転軸バネ組の間に設置され、該中心回転軸の回動に合わせ、進而使該可曲性片状物に巻層を形成させ、同時に、可透過該略筒状殻体の該側面開口部を介し、該可曲性片状物の巻出し・取り出しまたは該可曲性片状物の該略筒状殻体内への巻取り収納を行なう、巻軸式収納装置。
【請求項１２】
前記のうち、前記弾性バネ挟み片組がさらに、該中心回転軸の上に挿入し固定される始端と、該可曲性片状物の始端を接続し固定する末端とを含む回転軸バネ組と、
該略筒状殻体と該回転軸バネ組の間に設置された環状バネ組と、を含み、そのうち、前記回転軸バネ組は該中心回転軸の回動に合わせ、該略筒状殻体の該側面開口部を介し、該可曲性片状物の巻出し・取り出しまたは該可曲性片状物を該略筒状殻体内に巻取り収納し、同時に、該回転軸バネ組が外方向へ該可曲性片状物を付勢し、前記環状バネ組は、内方向に該可曲性片状物を付勢し、該可曲性片状物に該巻層を形成させると共に、使用者の必要に応じ、該可曲性片状物を安定して巻出し・取り出しまたは巻取り収納を行なう、請求項１１に記載の巻軸式収納装置。
【請求項１３】
前記のうち、該環状バネ組が非封閉型の環状バネ組であり、弾性薄片を巻いて成る、請求項１２に記載の巻軸式収納装置。
【請求項１４】
前記のうち、該環状バネ組が少なくとも１つの環状バネから成る、請求項１２に記載の巻軸式収納装置。
【請求項１５】
前記のうち、該少なくとも１つの環状バネが、該略筒状殻体内に均衡して設置され、該巻層の円周を維持させる、請求項１４に記載の巻軸式収納装置。
【請求項１６】
前記のうち、該環状バネ組と該巻層の接触面積が一定値より小さく、該環状バネ組と該巻層外層の摩擦阻力を減少した、請求項１２に記載の巻軸式収納装置。
【請求項１７】
前記のうち、該略筒状殻体がさらに２つの略筒状殻体蓋を含み、該略筒状殻体蓋が該略筒状殻体の上下両端をそれぞれ覆い、該中心回転軸及び該弾性バネ挟み片組を収納する収納空間を形成した、請求項１１に記載の巻軸式収納装置。
【請求項１８】
前記のうち、該略筒状殻体蓋にそれぞれ中心円孔を形成し、該中心回転軸の両端にそれぞれ上位置決め突起及び下位置決め突起を設け、該略筒状殻体蓋の該中心円孔にそれぞれ穿通し位置決めされる、請求項１７に記載の巻軸式収納装置。
【請求項１９】
前記のうち、該上位置決め突起にさらに歯車を設け、該中心回転軸の回動を制御する、請求項18に記載の巻軸式収納装置。
【請求項２０】
さらに、少なくとも１つの弧状弾性ガイドを含み、その一端が前記側面開口部に接続して設置され、別の一端が該巻層の外層を支持し、該可曲性片状物の末端を導引し、該可曲性片状物の末端を該側面開口部から伸出させる、請求項１１に記載の巻軸式収納装置。
【請求項２１】
前記のうち、該回転軸バネ組が少なくとも１つの封閉型の環状バネ組であり、弾性薄片を巻いて成る、請求項１１に記載の巻軸式収納装置。
【請求項２２】
巻軸構造であって、少なくとも、可曲性片状物と、側面開口部を備えた略筒状殻体と、該略筒状殻体の該収納空間内に設置された中心回転軸及び該中心回転軸上に挿入して固定され、該可曲性片状物の始端を接続し固定する弾性バネ挟み片組と、を含み、該中心回転軸の回動に合わせ、該可曲性片状物に巻層を形成させ、同時に、該略筒状殻体の該側面開口部を介し、巻出し・取り出しまたは巻取り収納を行なう、巻軸構造。
【請求項２３】
前記のうち、該弾性バネ挟み片組がさらに、該中心回転軸の上に挿入し固定される始端と、末端連接固定該可曲性片状物の始端を接続し固定する末端とを含む回転軸バネ組と、該略筒状殻体と該回転軸バネ組の間に設置された環状バネ組と、を含み、そのうち、該回転軸バネ組は該中心回転軸の回動に合わせ、該略筒状殻体の該側面開口部を介し、該可曲性片状物の巻出し・取り出しまたは該可曲性片状物の該収納空間内への巻取り収納を行ない、同時に、外方向へ該可曲性片状物を付勢し、前記環状バネ組は、該可曲性片状物を内方向へ付勢し、該可曲性片状物に巻層を形成させると共に、使用者の必要に応じ、該可曲性片状物を安定して巻出し・取り出しまたは巻取り収納を行なう、請求項２２に記載の巻軸構造。
【請求項２４】
前記のうち、該可曲性片状物が、長い形状の紙、長い軟質板、長いプラスチック片または布等である、請求項２２に記載の巻軸構造。
【請求項２５】
可曲性片状物の巻軸式収納装置への巻取り収納及び該可曲性片状物の巻出し・取り出し方法であって、該巻軸式収納装置が側面開口部を備えた略筒状殻体と、該略筒状殻体内に設置された中心回転軸と、始端及び末端を備え、該始端を該中心回転軸の上に挿入して固定する回転軸バネ組と、該略筒状殻体と該回転軸バネ組の間に設置された環状バネ組と、を含み、その方法が以下の手順を含む、可曲性片状物の巻出し・取り出しまたは巻取り収納方法。
１．該可曲性片状物の一端を該回転軸バネ組の該末端に接続して固定し。
２．第二回動方向に沿って該中心回転軸を回動させ、該可曲性片状物を動かし、該側面開口部を介し該略筒状殻体内に巻き取って収納し、同時に該回転軸バネ組が該可曲性片状物を外方向へ付勢し、該環状バネ組が該可曲性片状物を内方向へ付勢し、該可曲性片状物に巻層を形成させ。
３、第一回動方向に沿って該中心回転軸を回動させ、該可曲性片状物の該始端を押し、層を経て該末端まで推力を伝動し、該末端を側面開口部から伸出させる。
４、再度該第二回動方向に沿って該中心回転軸を回動させ、該可曲性片状物を該巻軸式収納装置の内部に巻取り収納する。
【請求項２６】
前記のうち、該第一及び第二回動方向がそれぞれ逆時計回りと時計回り方向である、請求項２５に記載の可曲性片状物の巻出し・取り出しまたは巻取り収納方法。
【請求項２７】
前記のうち、該第一及び第二回動方向への操作を重複して行なうことができる、請求項２６に記載の可曲性片状物の巻出し・取り出しまたは巻取り収納方法。
【請求項２８】
前記のうち、該可曲性片状物が長い形状の紙、長い軟質板、長いプラスチック片または布等である、請求項２５に記載の可曲性片状物の巻出し・取り出しまたは巻取り収納方法。
【請求項２９】
前記のうち、該可曲性片状物が交換可能な薄片状の軟性材質である、請求項２５に記載の可曲性片状物の巻出し・取り出しまたは巻取り収納方法。
【発明の詳細な説明】
【技術分野】
【０００１】
本発明は、巻軸式収納装置に関し、特に、可曲性片状物を均一に収納し、且つ、該可曲性片状物を繰り返し巻出しまたは巻取り収納が可能な、巻軸式収納装置に関する。                
【背景技術】
【０００２】
日常生活において、紙ロールやプラスチックロール、アルミ箔ロール、布ロール等、可曲性片状物は多く見られる。これら可曲性片状物をうまく巻き出したり、巻き取って収納したりするために、多くの巻軸式収納装置が提案されている。
【０００３】
可曲性片状物の巻軸式収納装置からの巻き出し、または巻軸式収納装置への巻取り収納において、該裝置内の巻層の膨らみや弛み、滞り、絡み等の欠陥を防止し、該可曲性片状物の正常且つ効率的な巻き出しまたは巻取り収納ができる巻き方が重要となる。
【０００４】
一般的に、可曲性の紙を巻軸式収納装置に導入した後、その使用方法の構造設計は三種の設計模式に帰納することができる。即ち、巻層中心軸の回転による内部推力により紙を押し出す設計、巻層末端を引き出す外引力を用いる設計、及び、内部推力と外引力を併用した設計の三種である。然しながら、いかなる模式を採用しても、為了克服巻層が因?轉應力による自然な弛みによる滞りや絡み、巻戻り等現象の発生の問題を克服するため、従来技術は内推力を用いた逆回転防止装置または外引力を利用し、巻層の末端を出口に留める設計であり、巻層の始端または末端の制限に重点を置いている。但し、現階段における従来の巻軸式収納装置は、可曲性片状物の始端または末端の間の巻層の膨らみや弛みの現象に対し、有効な解決方法を提供するには至っていない。
【０００５】
このため、前述の問題をいかに解決し、可曲性片状物を均一に収納でき、軽く、実用的であり、同時に、可曲性片状物を隨時巻き出しまたは巻取り・収納することができる、巻軸式収納装置を提供することは、現在解決が迫られている問題となっている。
【発明の開示】
【発明が解決しようとする課題】
【０００６】
本発明の主な目的は、可曲性片状物を均一に収納することができる巻軸式収納装置を提供し、本発明の特殊な巻取り機構の導入により、該機構内の可曲性片状物の巻層に発生する膨らみや弛み、滯り、絡みまたは巻戻りの物理的現象を効果的に防ぐことができ、同時に、軽く実用的で操作が容易であり、該可曲性片状物の巻き出しまたは巻取り・収納に便利な巻軸式収納装置を提供することにある。
【課題を解決するための手段】
【０００７】
本発明の巻軸式収納装置は、可曲性片状物をその内部に巻取り収納するために用いられ、側面開口部と収納空間を備えた略筒状の殻体と、該略筒状殻体の該収納空間の内部に設置された中心回転軸と、該中心回転軸の上に挿入して固定される始端と、該可曲性片状物の始端を接続し固定する末端とを備えた回転軸バネ組と、該略筒状殻体と該回転軸バネ組の間に設置された環状バネ組と、を含み、そのうち、該回転軸バネ組は、該中心回転軸の回転に合わせ、該略筒状殻体の該側面開口部を介し、該可曲性片状物の該収納空間からの巻出し及び該収納空間内部への巻取りを行い、同時に、該回転軸バネ組の径方向の伸縮弾性により、該可曲性片状物を外方向へ向かって付勢し、前記環状バネ組は、径方向の伸縮弾性により該可曲性片状物を内側へ向って付勢し、該可曲性片状物に緊密な巻層を形成させ、且つ、使用者の必要に応じ、安定して可曲性片状物の巻出しまたは巻取り保存を行なうことができる構造である。
前述のうち、該略筒状殻体はさらに２つの略筒状殻体蓋を含み、該略筒状殻体蓋が該略筒状殻体の上下両端をそれぞれ覆い、該収納空間を形成する。
【０００８】
前述のうち、該略筒状殻体蓋は中心円孔を備え、該中心回転軸の両端に設けた上位置決め突起及び下位置決め突起をそれぞれ該略筒状殻体蓋の該中心円孔に穿通し、位置決めする。
【０００９】
前述のうち、該上位置決め突起にさらに該中心回転軸の回動を制御するための歯車を設ける。
【００１０】
前述の該巻軸式収納装置に、さらに、少なくとも１つの弧状弾性ガイドを設け、その一端を前記側面開口部に接続して設置し、別の一端は該巻層の外層を支持し、該可曲性片状物の末端が該側面開口部から伸出するよう、該可曲性片状物の末端を導引する。
【００１１】
前述のうち、該回転軸バネ組は封閉型の環状バネ組であり、径方向の伸縮弾性を備えた薄片を巻いて成る。
【００１２】
前述のうち、該環状バネ組は非封閉型の環状バネ組であり、径方向の伸縮弾性を備えた薄片を巻いて成る。
【００１３】
前述のうち、該環状バネ組は、少なくとも１つの環状バネから成る。
【００１４】
前述のうち、該環状バネは、設於該略筒状殻体内に設置され、該巻層の円周を維持する。
【００１５】
前述のうち、該環状バネ組と該巻層の接触面積が一定値より小さく、該環状バネ組と該巻層外層の摩擦阻力を減少する。
【００１６】
本発明に基づく別の実施例は、巻軸式収納装置であって、可曲性片状物をその内部に収納するために用いられ、その構造は、側面開口部を備えた略筒状の殻体と、該略筒状殻体の該収納空間の内部に設置する中心回転軸と、回転軸バネ組と、該回転軸バネ組を該中心回転軸上に挿入して固定される弾性バネ挟み片組と、を含み、該可曲性片状物の始端に接続して固定し、該中心回転軸の回動に合わせ、該可曲性片状物に巻層を形成させ、同時に、該略筒状殻体の該側面開口部を介し、該可曲性片状物を該略筒状殻体の内部から巻出し・取出しまたは該略筒状殻体の内部へ巻取り収納することができる構造である。
【００１７】
前述のうち、該弾性バネ挟み片組がさらに、回転軸バネ組と、環状バネ組を含み、そのうち、該回転軸バネ組は、該中心回転軸の上に挿入して固定するための始端と、該可曲性片状物の始端を接続し固定する末端とを備え、該中心回転軸の回動に合わせ、該略筒状殻体の該側面開口部を介し、該可曲性片状物を該収納空間の内部から巻出し・取出し、または、該可曲性片状物を該収納空間の内部へ巻取り収納することができ、同時に、該回転軸バネ組が外方向に該可曲性片状物を付勢し、前記環状バネ組は、該略筒状殻体と該回転軸バネ組の間に設置され、該可曲性片状物を内方向へ付勢し、該可曲性片状物に緊密な巻層を形成させ、使用者の必要に応じ、安定して巻出しまたは巻き取り収納を行うことができる構造である。
【００１８】
前述のうち、該環状バネ組は非封閉型の環状バネ組であり、弾性薄片を巻いて成る。
【００１９】
前述のうち、該環状バネ組は少なくとも１つの環状バネ片から成る。
【００２０】
前述のうち、該環状バネ片は、該略筒状殻体内に設置され、該巻層の円周を維持する。
【００２１】
前述のうち、該環状バネ組と該巻層の接触面積が一定値より小さく、該環状バネ組と該巻層外層の摩擦阻力を減少する。
【００２２】
前述のうち、該略筒状殻体がさらに２つの略筒状殻体蓋を含み、該略筒状殻体の上下両端をそれぞれ覆い、該中心回転軸及び該弾性バネ挟み片組を収納する収納空間を形成する。
【００２３】
前述のうち、該略筒状殻体蓋がそれぞれ中心円孔を備え、該中心回転軸の両端に設けた上位置決め突起及び下位置決め突起をそれぞれ該略筒状殻体蓋の該中心円孔に穿通し、位置決めする。
【００２４】
前述のうち、該上位置決め突起にさらに該中心回転軸の回動を制御するための歯車を設ける。
【００２５】
前述の該巻軸式収納装置がさらに、少なくとも１つの弧状弾性ガイドを含み、その一端を前記側面開口部に接続して設置し、別の一端は該巻層の外層を支持し、該可曲性片状物の末端が該側面開口部から伸出するよう、該可曲性片状物の末端を導引する。
【００２６】
前述のうち、該回転軸バネ組は封閉型の環状バネ組であり、弾性を備えた薄片を巻いて成る。
【００２７】
本発明の別の目的は、巻軸構造であって、少なくとも可曲性片状物と、側面開口部を備えた略筒状の殻体と、該略筒状殻体の該収納空間内部に設置される中心回転軸と、該中心回転軸上に挿入して固定される弾性バネ挟み片組と、を含み、且つ、該可曲性片状物の始端に接続して固定し、中心回転軸の回動に合わせ、該可曲性片状物に巻層を形成させ、同時に該略筒状殻体の該側面開口部を介し、該可曲性片状物の巻出しまたは巻取り収納が可能である、巻軸構造を提供することにある。
【００２８】
前述のうち、該弾性バネ挟み片組がさらに、回転軸バネ組と、環状バネ組を含み、そのうち、該回転軸バネ組は、前記中心回転軸上に固定するための始端を備え、且つ、該可曲性片状物の始端を接続し固定する末端を備え、該中心回転軸の回動に合わせ、該略筒状殻体の該側面開口部を介し、該可曲性片状物の該収納空間内部からの巻出し、または、該可曲性片状物の該収納空間内部への巻取り収納を行い、同時に、該可曲性片状物を外方向へ付勢し、該環状バネ組は、該略筒状殻体と該回転軸バネ組の間に設置され、該可曲性片状物を内方向へ付勢し、該可曲性片状物に巻層を形成させ、且つ、使用者の必要に応じ、安定して該可曲性片状物の取り出し・収納を行なうことができる。
【００２９】
前述のうち、該可曲性片状物は、長い形状の紙や、長い軟質板、長いプラスチック片または布等とする。
【００３０】
本発明のさらに別の目的は、可曲性片状物を巻軸式収納装置へ巻取ると共に、該可曲性片状物の巻出しを行なう方法であって、そのうち、該巻軸式収納装置は、側面開口部を備えた略筒状の殻体と、該略筒状殻体内部に設置された中心回転軸と、始端及び末端を備え、該中心回転軸上に挿入して固定された回転軸バネ組と、該略筒状殻体と該回転軸バネ組の間に設置された環状バネ組と、を含み、該方法が少なくとも、 (a)該可曲性片状物の始端を該回転軸バネ組の該末端に固定し、(b)第二回動方向に沿って該中心回転軸を回動させ、該可曲性片状物を動かし、該側面開口部を介して、該可曲性片状物を該略筒状殻体の内部に巻取り収納し、同時に、該回転軸バネ組が内方向の径方向に收縮し、且つ、該可曲性片状物を内から外へ回転軸バネ組の外囲に層を成して巻きつけ、さらに、該回転軸バネ組の径方向に拡張する弾力で外方向へ該可曲性片状物を付勢し、該巻層の内部支持を形成し、該環状バネ組が外方向の径方向に拡張し、巻き取られた可曲性片状物を収納し、さらに、該可曲性片状物を内方向へ圧縮し、該可曲性片状物に緊密な巻層を形成させ、(c)第一回動方向に沿って該中心回転軸を回動させ、該可曲性片状物を巻出し、及び(d)再度該第二回動方向に沿って該中心回転軸を回動させ、該可曲性片状物を該巻軸式収納装置の内部に巻取り収納する、という手順を含む、可曲性片状物の巻軸式収納装置への巻取り及び巻出し方法を提供することにある。
【００３１】
前述のうち、該第一回動方向と第二回動方向はそれぞれ逆時計回りと時計回り方向である。
【００３２】
前述のうち、該第一回動方向と第二回動方向は反覆操作が可能である。
【００３３】
前述のうち、該可曲性片状物は、長い形状の紙や、長い軟質板、長いプラスチック片、または布等である。
【００３４】
前述のうち、該可曲性片状物は、交換可能な薄片状の軟性材質である。
【発明の効果】
【００３５】
本発明は、可曲性片状物を均衡して収納することができる巻軸式収納装置を提供する。特殊な巻取り機構の導入により、該巻軸式収納装置は軽く、実用的であり、また操作上の利便性も高い。従来技術で未解決の可曲性片状物の応力特性等の問題は、本発明により解決することができ、本発明によれば、可曲性片状物の巻層の応力により発生する膨らみや弛み(巻き応力)、滞り(摩擦力)、絡まり(回転力)、巻戻り等の現象を効果的に解決することができ、また、重複して該可曲性片状物を取り出したり、巻き取って収納したりすることができる双方向の回転機能を備えており、本発明を実施した器物を多機能化することができる新規的な発明であり、産業的利用価値も高い。
【発明を実施するための最良の形態】
【００３６】
以下、本発明の巻軸式収納装置に関し、巻紙収納装置を本発明の巻軸式収納装置を応用した実施例として説明する。本発明の技術を応用した巻軸式収納装置は、ここに説明する実施例に限られることなく、以下に述べる技術的特徴を備えた類似のあらゆる巻軸式収納装置に適用でき、巻紙収納装置や、曲げ性を備えた軟質板収納装置、プラスチック片収納装置、布の収納装置等、すべて参考にすることができる。本発明の該巻軸式収納装置は、特殊な巻軸式収納機構の導入により、軽く実用的で携帯に便利である。
【００３７】
図１から図３に本発明の巻軸式収納装置を示す。本発明の巻軸式収納装置2は、可曲性片状物23をその内部に巻き取って収納するために用いる。その構造は、側面開口部243及び収納空間を備えた略筒状殻体24と、該略筒状殻体24の該収納空間内に設置された中心回転軸21と、該中心回転軸21の上に挿入し固定された始端と、該可曲性片状物23の始端231を接続し固定する末端２22を備えた回転軸バネ組22と、該略筒状殻体24と該回転軸バネ組22の間に設置された環状バネ組25と、を含み、そのうち、該回転軸バネ組は該中心回転軸21の回動に合わせ、該略筒状殻体24の該側面開口部243を介し、該可曲性片状物23の巻出し・取り出しまたは該可曲性片状物23を該収納空間の内部に巻取り収納し、同時に、該回転軸バネ組22が外方向へ該可曲性片状物23が形成する巻層を付勢し、該環状バネ組25は、該可曲性片状物23が形成する該巻層を内方向へ付勢する。
【００３８】
実際の応用においては、本発明の巻軸式収納装置は従来の筆記具に応用することができ、筆記具の要求する軽さ、美観、携帯利便性の原則に合わせ応用することができる。本発明の規格化された設計により、本発明を応用した筆記具は大量生産が可能であり、且つ、巻紙収納装置は交換設置が可能で、ペン芯の交換同様に便利である。
【００３９】
本発明の巻軸式収納装置は、本実施例においては巻紙収納装置であり、中心回転軸21と、回転軸バネ組22、巻紙、略筒状殻体24、環状バネ組25及び２つの略筒状殻体蓋26から成る。該中心回転軸21の中間部にさらに細溝211を設け、該中心回転軸21の両岸に小径の位置決め突起212を設置し、そのうち、上端の位置決め突起の上方にさらに歯車213を設置する。このほか、該回転軸バネ組22は、弾性薄片を巻いて成り、その始端は狭く、末端222は広い形状であり、また、その始端にさらに湾曲角度面221を設け、前記中心回転軸21の該細溝211に挿入して固定され、さらに、逆時計回り方向に回転軸に数回巻きつけ、封閉型の環状バネを形成し、その末端222の外縁部と、該巻紙の始端231内縁部を接続して固定し、接続界面を形成し、さらに、時計回り方向に該回転軸バネ組22を回動させ、該巻紙を巻きつける。そのうち、該回転軸バネ組22は、径方向の伸縮弾力を備えていることを特徴とし、該巻紙の巻出し・取り出しまたは巻取り収納時において、該巻紙収納装置内部空間の増減を機動的に調整することができる。このほか、該回転軸バネ組22の径方向の拡張弾力は、適切に該巻紙内層を支持し、隙間の発生を防ぎ、さらには逆方向に押された時の紙の折れ曲がりを防ぐことができる。
【００４０】
本発明に基づく上述の略筒状殻体24は、高い柔軟性と弾性を備えた材質から成り、該略筒状殻体24の上下両端の管口端部に複数個の殻体凹み部241を設け、管外壁に円周に沿って２つの浅凹槽242を形成し、該側面開口部243を軸方向に開設し、その側縁にさらに径方向に延伸して形成した弧状弾性ガイド244を設置し、そのうち、該弧状弾性ガイド244は、管壁と一体成形してもよく、且つ、その厚さは先端へ向って徐々に薄くなり、外側から内側へ弧状の湾曲を形成する。さらに、該弧状弾性ガイド244の根部に軸方向に浅いU字形のガイド槽245を開設し、後続して設置される筆記具上部のガイド313を導入するために用いる。また、該弧状弾性ガイド244の末端は、その弾力により該巻紙の外層に接触し、該中心回転軸21が逆時計回りに回転する時、推動巻紙末端232を押し、該巻紙容器の側面開口部243から伸出するよう導引する。
【００４１】
このほか、本発明の該環状バネ組25は、弾性薄片を巻いて成り、その細部構造はさらに外層リング251及び内層リング252を含み、該外層リング251の末端は、内方向へ巻方向と反対方向へ湾曲され挟み部253を形成し、該挟み部253が該略筒状殻体24側面開口部の一側縁を挟み、逆時計回り方向に該略筒状殻体24外壁上に形成された前記浅凹槽242上に巻いて固定され、該外層リング251の別の一端は、反対方向に巻かれ該略筒状殻体24の内部に伸入し、時計回り方向に前記回転軸バネ組22の外囲に巻きつけられ、非封閉型的内層リング252を形成する。そのうち、該環状バネ組25の内層リング252は、径方向の伸縮弾力を備えているため、該巻紙の膨らみや弛みの発生を規制することができ、該巻紙の巻出しまたは巻取り時には、該巻紙容器の内部空間を機動的に調整することができる。さらに、本発明の内層リング252の幅は該巻紙の幅より小さいため、両者の接触面積は小さく、逆方向に巻紙が押されたとき、その摩擦阻力を減少することができる。該環状バネ組25は、該巻紙の上下両端近くにそれぞれ設置してもよく、該巻紙の円周をバランスよく維持することができる。
【００４２】
本発明の２つの略筒状殻体蓋26は、該略筒状殻体24の上下にそれぞれ設置され、両者の直径は該略筒状殻体24の外径より若干大きく、両者の外円周に複数個の凸突起261を開設し、該略筒状殻体24の殻体凹み部241と連結し、固定される。該複数個の凸突起261のうち、前記側面開口部243箇所に連結される凸突起261には、さらに浅い切り込み状のガイド槽245を形成する。上下の略筒状殻体蓋26を該略筒状殻体24の上下両端に設置するとき、該上下の略筒状殻体蓋26のガイド槽245と該側面開口部243の弧状弾性ガイド244のガイド槽245の三者が同一の軸方向の直線上に位置し、筆記具上部出口箇所のガイド313を導入して位置決めする。また、該弧状弾性ガイド244のガイド槽245の幅は、該ガイド313の厚さより若干大きく、該弧状弾性ガイド244の弾性に比較的大きな活動性を与える。該略筒状殻体蓋26の中心には、それぞれ円孔262を開設し、該円孔262に前記中心回転軸21両端の位置決め突起212を穿通し、位置決めする。上の略筒状殻体蓋26の上面に、ガイド槽245に向って左側の特殊角度に、外縁部から該中心円孔262へ通じる凹み部263を開設し、該凹み部263に該軸回転制御部321が設置され位置決めされると共に、該軸回転制御部321を操作して該歯車213を固定し紙を破くとき、該凹み部263が該軸回転制御部321に径方向の側面支持を提供する。
【００４３】
図４に示すように、本発明の該巻軸式収納装置2内に該可曲性片状物23を設置していないとき、該回転軸バネ組22と該環状バネ組25の相対位置は、該２つのバネ組の巻き応力が平衡したときの状態となる。
【００４４】
図５に、本発明の該巻軸式収納装置内の該可曲性片状物23が未使用の状態にあるときの、該回転軸バネ組22と該環状バネ組25の相互作用の相関位置を示す。図に示すように、該可曲性片状物23は緊密な層を形成し、該収納装置内にはいかなる隙間もなく、逆時計回り回転R1により該可曲性片状物23を押し、簡単に紙を巻出すことができる。
【００４５】
図６に、本発明の該巻軸式収納装置内の該可曲性片状物23を取り出した後の、該回転軸バネ組22と該環状バネ組25の相互作用の相関位置を示す。図に示すように、該可曲性片状物23の層数は減少するが、該可曲性片状物23の巻層内外のバネ片の径方向の伸縮弾性の相互作用により、巻層はやはり緊密な層を形成し、隙間のない状態を維持し、逆回転の内推力が該可曲性片状物23の始端231から同一方向に、且つ、いかなる間断もなく層を経てその末端232へ伝えられなければならないという原則に符合し、いつでも円滑に取り出すことができる状態を保つことができる。反対に、巻出した可曲性片状物23も、時計回り回転R2の内引力により、容器内に巻取り収納することができる。
【００４６】
図７及び図８に、本発明の巻軸式収納装置を筆記具に応用した時の各構成部品の相互関係をさらに示す。図に示すように、筆記具上部3は、筆記具上部壁面31、クリップ部32、軸回転制御部321、キャップ33、筆記具上部蓋34、筆記具中段接続部35、固定ネジ部36等により構成される。該筆記具上部3の該筆記具上部壁面31上にさらに細長い線状の縦方向の出口311を開設し、該出口311の長さは巻紙の幅より若干長く、さらに、紙を容易に切断することができるよう該出口311の側縁部に細い鋸状の刃口312を設け、別の側縁部は若干内側へ張り出したガイド313を備え、巻紙容器を挿入する時、該ガイド313が円滑に略筒状殻体24上蓋の凸突起261外縁上のガイド槽245を導入し、さらに、弧状弾性ガイド244根部のガイド槽245を導入し、最後に略筒状殻体24下蓋の凸突起261外縁上のガイド槽245を導入し、巻紙容器の側面開口部243と筆記具上部3出口311を位置決めし、前後に連続した通口を形成させると共に、若干内側へ張り出した該ガイド313が、巻紙容器外壁と筆記具上部3内壁の間の隙間を遮蔽し、巻紙末端がその内部に誤って入り込むことを防ぐことができる。
【００４７】
このほか、該筆記具上部3の外壁にクリップ部32を固定し、該クリップ部32上方の該筆記具上部3に一字形開口部314を設け、該軸回転制御部321を筆記具上部3内に伸入させ、該略筒状殻体24上蓋の上縁面の凹み部263に該軸回転制御部321が嵌置され、位置決めされる。該軸回転制御部321は、弾性材質から成り、該クリップ部32と一体成形としてもよく、相互に一定の角度を形成する。該噛合部322は鋸状を呈し、該中心回転軸21の該歯車213と相互に噛み合い、且つ、該噛合部322と該歯車213は一定距離を保ち、中心回転軸21の回転に影響せず、且つ、それ自身の弾力により、軸回転制御部321が押された時、該噛合部322の歯が中心回転軸21の該歯車213と噛み合い、中心回転軸21を固定し、巻紙を破り取るとき、同時にまた巻紙が引き出されるのを防ぐ。押す動作を終えると、該噛合部322が該歯車213を離れ、元の位置に戻る。
【００４８】
実際の応用においては、該筆記具上部3の上端にさらにキャップ33を設置し、該キャップ33の下端は外側へ張り出した形状のつば部331を備え、該キャップ33のつば部331は、該筆記具上部蓋34内に離脱することなく固定される。そのうち、該キャップ33の内部は中空の円孔を備え、その孔壁面上に歯車部332を形成し、該歯車部332と前記中心回転軸上端の歯車213を噛み合わせ、該キャップ33を逆時計回り回転R1または時計回り回転R2をさせると、該中心回転軸21を動かすことができ、内推力または内引力を利用し、該可曲性片状物23を操作して、該巻紙を巻出し使用することができる、メモ用紙を備えた筆記具、または簡易メモ用紙を備え、メモ用紙の巻取り収納が可能な筆記具とすることができる。本実施例においては、該巻軸式収納装置2のキャップ33の逆時計回りまたは時計回りの単純な双方向設計により、効果的に紙の巻出し使用または巻き取り収納の2つの機能を得ることができる。
【００４９】
該筆記具上部3の下端の外周に筆記具中段接続部35を固定し、該中段接続部35下段の内壁面に、該巻紙容器の固定ネジ36の雄ネジと螺合される雌ネジ刻み部351を設け、巻紙容器交換時には、該固定ネジ36を回して開け、交換を行なう。該固定ネジ36下端には、筆記具下部座体4を接続するためのカバー管361を連続して設け、該筆記具の上下部が結合され、完全な筆記具を形成する。
【００５０】
以上、上述の説明において、本発明の巻軸式収納装置の各項目的、構成部品、実施方法を説明してきたが、本発明に基づいたいかなる修飾や変更も、本発明の申請範囲に含まれるものとする。
【図面の簡単な説明】
【００５１】
【図１】本発明の巻軸式収納装置を筆記具に応用した場合の立体外観図である。
【図２】本発明の巻軸式収納装置の立体外観図である。
【図３】本発明の巻軸式収納装置の各構成部品を示す立体分解図である。
【図４】本発明の巻軸式収納装置に可曲性片状物を設置していない状態を示す断面図である。
【図５】本発明の巻軸式収納装置内に設置された可曲性片状物が取り出されていない状態を示す断面図である。
【図６】本発明の巻軸式収納装置内に設置された可曲性片状物が取り出された後の状態を示す断面図である。
【図７】本発明の巻軸式収納装置を応用した筆記具の筆記具上部の断面図である。
【図８】本発明の巻軸式収納装置を応用した筆記具の構成部品を示す透視図である。
【符号の説明】
【００５２】
1     筆記具      
2      巻軸式収納装置        
21    中心回転軸     
211   細溝     
212   位置決め突起   
213   歯車    
22    回転軸バネ組   
221   湾曲角度面   
222   回転軸バネ組末端  
23    可曲性片状物     
231   可曲性片状物の始端     
232   可曲性片状物の末端               
24    略筒状殻体  
241   殻体凹み部    
242   浅凹槽    
243   側面開口部   
244   弧状弾性ガイド   
245   ガイド槽    
25     環状バネ組     
251   外層リング 
252   内層リング 
253   挟み部      
26    略筒状殻体蓋     
261   凸突起         
262   円孔
263   凹み部
3      筆記具上部
31     筆記具上部壁面
311    出口
312    刃口 
313    ガイド
314    一字形開口部
32     クリップ部
321    軸回転制御部
322    噛合部
33     キャップ
331    つば部
332    歯車部
34     筆記具上部蓋
35     筆記具中段接続部
351     雌ネジ刻み部
36      固定ネジ
361    カバー管
4       筆記具下部座体
41         ペン芯
411        ペン芯ナット
42         伝動装置
43         筆記具先端部
R1        逆時計回り回転（第一方向）
R2        時計回り回転(第二方向)
【図１】
2005179055.tif 000003
【図２】
2005179055.tif 000004
【図３】
2005179055.tif 000005
【図４】
2005179055.tif 000006
【図５】
2005179055.tif 000007
【図６】
2005179055.tif 000008
【図７】
2005179055.tif 000009
【図８】
2005179055.tif 000010